(57)【要約】      （修正有）【課題】製造コストを削減し、全体形状を嵩張らすことなく、一本のペットボトルで数種の味の飲料水を楽しむことができるペットボトルを提供する。【解決手段】飲料水を収容させる容器本体２と、容器本体の上部に着脱自在に装着されるキャップ３とで構成されるペットボトル１において、前記ペットボトルに、粉体を収容させた袋体１０を取り付ける。また、前記袋体はペットボトルに少なくとも１体以上、また容器本体の側面に被覆シート６にて取り付けられる。また、前記袋体内に異なる材質からなる粉体を収容した。さらに、前記ペットボトルの底部に第二のペットボトルを螺合してもよい。【選択図】図１
0003182170.tif 000002
【実用新案登録請求の範囲】
【請求項１】
飲料水を収容させる容器本体と、容器本体の上部に着脱自在に装着されるキャップとで構成されるペットボトルにおいて、前記ペットボトルに、粉体を収容させた袋体を取り付けたことを特徴とするペットボトル。
【請求項２】
前記袋体は、前記ペットボトルに少なくとも１体以上取り付けられる請求項１記載のペットボトル。
【請求項３】
前記袋体は、容器本体の側面に被覆シートにて取り付けられる請求項１または２記載のペットボトル。
【請求項４】
前記袋体内に、異なる材質からなる粉体を収容した請求項１乃至３のうちいずれか１項に記載のペットボトル。
【請求項５】
前記ペットボトルの底部に、第二のペットボトルを螺合した請求項１乃至４のうちいずれか１項に記載のペットボトル。
【考案の詳細な説明】
【技術分野】
【０００１】  本考案は、一本のペットボトルで数種の味の飲料水を楽しむことができるペットボトルに関する。
【背景技術】
【０００２】  飲料水を収容させる容器本体と、容器本体の上部に着脱自在に装着されるキャップとで構成されるペットボトルは、キャップを取り外すことにより、容器内に収容されている飲料水を容易に飲用することができる。また容器内には、緑茶やジュースやコーヒー、また炭酸飲料等、多種の飲用水が収容されており、消費者は好みに応じて任意に選択することができる。【０００３】  また上記に関連する従来技術として、ペットボトルの再利用を課題とする交換キャップ入り包装袋を備えたペットボトルがある（例えば特許文献１参照）。
上掲特許文献１には、ペットボトル等の飲料容器のキャップとして用いられ、飲用時にキャップを暖めて開ける所定の操作によりキャップに内蔵する飲料の素が前記飲料容器内の水面へ落下し混合される構造から成る交換キャップが収納された収納部と、当該収納部の延長で前記飲料容器の首に通すための穴部を有する延長部とからなる交換キャップ入り包装袋を備えたペットボトルであって、
前記収納部は複数であり且つ個々の収納部は透明で且つ破断案内部を備えた袋状のものであり、
また、前記延長部は、前記複数の収納部それぞれの延長で一体であり、共有の前記穴部を有するとともに、当該共有の穴部が前記交換キャップの重量程度の外力によっては変形しない剛性を有することを特徴とするペットボトルの再利用を課題とする交換キャップ入り包装袋を備えたペットボトルが開示されている。
【先行技術文献】
【特許文献】
【０００４】
【特許文献１】特開２０１１−１５７１２１号公報（特許請求の範囲等）
【考案の概要】
【考案が解決しようとする課題】
【０００５】  しかしながら、上掲特許文献１の交換キャップ入り包装袋を備えたペットボトルは、収納部が破断案内部を備えた袋状のものであり、さらにその包装袋の内部に飲料の素が収容されたキャップをペットボトルの首に複数備えるため、製造コストが高くなるとともに、全体形状が嵩張り、収納面や携帯性に問題が残った。【０００６】  そこで本考案は上述の点に鑑み、製造コストを削減し、全体形状を嵩張らすことなく、一本のペットボトルで数種の味の飲料水を楽しむことができるペットボトルを提供することにある。
【課題を解決するための手段】
【０００７】  上記課題を解決するために、本考案のペットボトルは、飲料水を収容させる容器本体と、容器本体の上部に着脱自在に装着されるキャップとで構成されるペットボトルにおいて、前記ペットボトルに、粉体を収容させた袋体を取り付けたことを特徴とする。【０００８】  また、前記袋体はペットボトルに少なくとも１体以上取り付けられる。【０００９】  また、前記袋体は容器本体の側面に被覆シートにて取り付けられる。【００１０】  また、前記袋体内に異なる材質からなる粉体を収容した。【００１１】  さらに、前記ペットボトルの底部に第二のペットボトルを螺合した。
【考案の効果】
【００１２】  本考案のペットボトルは、容器の側面に粉体を収容させた複数の袋体を取り付け、袋体内に異なる材質からなる粉体を収容したことにより、水道水や天然水を追加することで、１本のペットボトルで複数の味を楽しむことができる。【００１３】  さらに、前記ペットボトルの底部に第二のペットボトルを螺合したことにより、さらに利便性や嗜好性を高めることができる。
【図面の簡単な説明】
【００１４】
【図１】本考案のペットボトルの全体斜視図である。
【図２】前記ペットボトルから袋体を取り出す状態の斜視図である。
【図３】前記ペットボトルの使用状態を示す断面図である。
【図４】袋体の他の好適例である。
【図５】他の好適例であるペットボトルの断面図である。
【図６】他の好適例であるペットボトルの断面図である。
【考案を実施するための形態】
【００１５】  本考案のペットボトルは、製造コストを削減し、全体形状を嵩張らすことなく、一本のペットボトルで数種の味の飲料水を楽しむことを特徴とするものである。
以下、本考案におけるペットボトルの実施の形態を図面に基づいて説明する。
【００１６】  図示するペットボトル１は、飲料水を収容させる容器本体２と、容器本体２の上部に着脱自在に装着されるキャップ３とで構成されるもので、前記ペットボトル１に、粉体１１を収容させた袋体１０を取り付けたことを特徴とする。
【００１７】  ペットボトル１の容器本体２は、合成樹脂の一種であるポリエチレンテレフタラート（ＰＥＴ）を材料として作られている。また容器本体２の容量は特に限定されるものではなく、例えば、２８０ｍｌ，３５０ｍｌ，５００ｍｌ，９００ｍｌ，１，０００ｍｌ，１，５００ｍｌ，２，０００ｍｌ等の容器が適宜使用される。また前記容器本体２の側面には、商品名等を記載した広告用シール４が装着されている。また前記ペットボトル１の容器本体２内には天然水等の飲料水Ａが収容されている。
【００１８】  また特に、前記ペットボトル１の容器本体２には、粉体１１を収容させた袋体１０が取り付けられている。袋体１０は薄状の矩形体を呈しており、内部にはコーヒー，紅茶，抹茶，緑茶，青汁，ウーロン茶，スポーツドリンク，玄米茶，ほうじ茶等の粉体１１が収容されている。
【００１９】  前記容器本体２に袋体１０を装着することで、図３に示すように、キャップ３を取り外し、開口部５より袋体１０内の粉体１１を投入することで、好みに応じた飲料水を飲用することができる。
【００２０】  また、前記袋体１０はペットボトル１に少なくとも１体以上取り付けられる。それぞれの袋体１０内には前記のコーヒーや緑茶、また青汁等の粉体１１が収容されている。そのことにより、例えば、コーヒーの粉体１１を投入し飲料を飲用した後、水道水や天然水を投入し、さらに緑茶等の粉体１１を投入することで抹茶飲料を作ることができ、１本のペットボトルで複数の味を楽しむことができる。
【００２１】  また、前記袋体１０は容器本体２の側面に被覆シート６を被覆して取り付けられる。
前記被覆シート６は、内部の袋体１０の状態が視認できるように透明、もしくは半透明で形成されており、切り込み７より容易に切り離すことができる。上述の構成により、容器本体２が嵩張ることなく、携帯時や収容面で邪魔になることがない。
【００２２】  また他の好適例として、図４に示すように、前記袋体１０内に異なる材質からなる粉体１１を収容してもよい。前記袋体１０´には区画部８と切欠部１１´が形成されており、それぞれの収容部にコーヒー１１ａや緑茶１１ｂ、また青汁１１ｃ等の粉体１１が収容される。そこのことにより、１体の袋体１０´で複数の飲料水の味を楽しむことができる。
【００２３】  また他の好適例として、図５に示すように、前記ペットボトル１の底部９に、第二ペットボトル２０を螺合してもよい。ペットボトル１の容器本体２の底部９に螺合部２１を形成し、この螺合部２１に、第二ペットボトル２０の開口部２２を螺合する。それにより、上下二段のペットボトル１´を形成することができ、上段のペットボトル１を飲み干した後、第二のペットボトル２０内の飲料水を飲むことができ、飲料水の多様性を実現することができる。
【００２４】  また他の好適例として、図６に示すように、前記ペットボトル１の底部９に、キャップ３を装着した第二ペットボトル２０を装着してもよい。この際、ねじ込み、スクリュー、ソケット式等の手法により装着することができる。
【００２５】  上述により本考案のペットボトル１は、容器本体２の側面に粉体１１を収容させた複数の袋体１０を取り付け、袋体１０内に異なる材質からなる粉体１１を収容したことにより、水道水や天然水を追加することで、１本のペットボトルで複数の味を楽しむことができる。
【００２６】  また、前記ペットボトル１０の底部２１に第二ペットボトル２２を螺合したことにより、さらに利便性や嗜好性を高めることができる。
【符号の説明】
【００２７】１    ペットボトル
２    容器本体
３    キャップ
４    広告用シール
５    開口部
６    被覆シート
７    切り込み
８    区画部
９    底部
１０  袋体
１１  粉体
２０  第二ペットボトル
２１  螺合部
２２  開口部
Ａ    飲料水
【図１】
0003182170.tif 000003
【図２】
0003182170.tif 000004
【図３】
0003182170.tif 000005
【図４】
0003182170.tif 000006
【図５】
0003182170.tif 000007
【図６】
0003182170.tif 000008